(57)【要約】  製品、特に少しずつ流れる製品または自由に流動する製品を放出する装置（２）と、製品保持用リザーバ（３）と、製品放出開口部（４）と、リザーバ（３）と装置（２）との間の接続部（５）を有する容器（１）を用いて任意量での製品の取り出しを可能とするため、容器（１）が、可撓性材料製のチャネル（６）を有し、チャネル（６）は、リザーバ（３）から製品放出開口部（４）に至る製品経路を定めるために設けられ、装置（２）は、任意にチャネル（６）のクランプ及び開放を行うためのクランプ要素（７）を有し、クランプ要素（７）は、チャネル（６）方向にバネ（８）を用いるバネ仕掛けであり、作動装置（９）がクランプ要素（７）に作動機構（１０）を介して接続し、手動で作動装置（９）を動かして任意にチャネル（６）をクランプできることが提案される。
2008539148.tif 000002
【特許請求の範囲】
【請求項１】
製品、とくに少しずつ流れる製品または自由に流動する製品を放出する装置（２）と、
製品保持用リザーバ（３）と、
製品放出開口部（４）と、
前記リザーバ（３）及び前記装置（２）の間の接続部（５）と
を有する容器（１）であって、
前記容器（１）が可撓性材料製のチャネル（６）を有し、
前記チャネル（６）は、前記リザーバ（３）から前記製品放出開口部（４）に至る製品の経路を定めるために設けられ、
前記装置（２）は、任意に前記チャネル（６）のクランプ及び開放を行うためのクランプ要素（７）を有し、
前記クランプ要素（７）は、前記チャネル（６）方向にバネ（８）を用いるバネ仕掛けであり、
作動装置（９）が前記クランプ要素（７）に作動機構（１０）を介して接続し、手動で前記作動装置（９）を動かして任意に前記チャネル（６）をクランプできるようになっている、容器。
【請求項２】
前記作動装置（９）が好ましくは作動つまみであり、
前記作動装置（９）は、取り巻き構造として設計された作動機構（１０）に接続し、
前記チャネル（６）が前記構造を通して広がって前記構造の一方の側面（１１）に位置し、
前記クランプ要素（７）が前記第１側面（１１）の反対側であるチャネル（６）の側面（１２）に位置し、
前記バネ（８）が前記クランプ要素（７）と前記構造との間に設けられる、請求項１に記載の容器。
【請求項３】
前記チャネル（６）が弾性の変形可能チューブである、請求項１又は２に記載の容器。
【請求項４】
前記チャネル（６）が前記接続部（５）において、前記接続部（５）に向かって広がるじょうご部（１４）を有する、請求項１〜３のいずれか一項に記載の容器。
【請求項５】
前記容器（１）が長手方向に延びる形状であり、一方の末端部に前記製品放出開口部（４）が設けられる、請求項１〜４のいずれか一項に記載の容器。
【請求項６】
容器拡張部（１３）が他方の末端部に設けられる、請求項５に記載の容器。
【発明の詳細な説明】
【技術分野】
【０００１】
本発明の目的は、製品を放出する容器、特に美容院業界における粒子供給用容器に関する。
【背景技術】
【０００２】
粒子状のヘアトリートメント剤は、美容院で用いられている。前記トリートメント剤は、容器から手動で取り出せなければならず、ユーザーが片方の手で製品を取り出せる十分に簡単な方法であり、それによってユーザーはもう一方の手を違う作業のためにあけておくことができる。
【０００３】
請求項１の前文による容器は、ＤＥ  ３４  ３８ ６７７  Ａ１号で周知である。この容器は、製品放出装置を有し、その装置は製品を保持するリザーバである。製品放出開口部が製品の出口として用いられ、リザーバと装置との間の接続部は容器一体型である。
【発明の開示】
【発明が解決しようとする課題】
【０００４】
既知の容器は、放出装置から放出できる製品量が、所定の１容量のみであるという短所がある。取り出し量を変更することができない。
【０００５】
この目的は、請求項１の前文の目的をさらに発展させることであり、それによりこの短所を克服するものであった。
【課題を解決するための手段】
【０００６】
この目的は、請求項１の極めて特徴的な構成要素に従って達成される。それ故に、容器は可撓性材料製のチャネルを有し、リザーバから製品放出開口部に至る製品経路が設けられる。装置は、任意にチャネルのクランプ及び開放を行うためのクランプ要素を有する。クランプ要素は、チャネル方向にバネを用いるバネ仕掛けであり、作動装置がクランプ要素に作動機構を介して接続し、手動で作動装置を動かして任意にチャネルをクランプできるようになる。
【０００７】
提案される容器には、任意の所望する製品量を取り出せるという利点がある。ユーザーは、製品の放出口として設けられる作動装置を時々動かすことにより、製品放出開口部から製品を流出させることができる。この過程では、任意の所望の製品量に対する製品流出の持続時間を、ユーザーが決定する。簡便な方法で、容器を片手で使用することができる。
【発明を実施するための最良の形態】
【０００８】
本発明による容器の有利な実施形態を、請求項２〜６に記載する。
【０００９】
請求項２による、作動装置が取り巻き構造として設計された作動機構に接続される場合、容器を逆さまに配置すると、リザーバ内に収容される製品は作動装置を動かしている間に小出しされるのみであり、チャネルは前記構造を通して広がり、前記構造の片側に位置し、クランプ要素は反対側のチャネル側に位置し、及びバネは、クランプ要素と前記構造との間に設けられる。作動つまみ又はボタンは、作動装置に好適である。作動装置が押される場合、事前にクランプされ、クランプ要素により閉じられたチャネル部分において逆さまになった容器が開き、並びに作動機構が開放される。いったん作動装置が開放されると、バネによって、チャネルが再び圧縮される位置に作動機構が戻され、それにより封止する状態に戻される。あるいは、作動を操作してチャネルをクランプすることができる。弾性の変形可能チューブ（請求項３）、特にプラスチック製のものがチャネルに好適である。
【００１０】
接続部上のじょうご部（請求項４）は、製品がリザーバからチャネル内に流出する経路となる。
【００１１】
請求項５による容器が長手方向に延びる形状の場合、一方の末端部に製品放出開口部が設けられ、前記容器は、ペンのようにつかみ保持することができる。特に美容院業界において、手が濡れていても、容器をより簡便に保持するために、容器末端部に、つまり、製品放出開口部反対側に、容器拡張部が設けられると好都合である（請求項６）。
【００１２】
製品、特に少しずつ流れる製品または自由に流動する製品を放出する装置（２）と、製品保持用リザーバ３と、製品放出開口部４と、リザーバ３及び装置２の間の接続部５とを有する容器１（図１）であって、該接続部がねじ込み式接続方式により接続される。容器１は、チューブ状で可撓性材料製の変形可能なチャネル６を有し、リザーバ３から製品放出開口部４に至る製品経路を定めるために設けられる。装置２は、任意に前記チャネル（６）のクランプ及び開放を行うためのクランプ要素（７）を有する。クランプ要素７は、チャネル６方向にバネ８を用いるバネ仕掛けである。作動装置９がクランプ要素７に作動機構１０を介して接続し、手動で作動装置９を動かして任意にチャネル６をクランプできるようになり（図２）、又は製品を通過可能にする（図３）。
【００１３】
作動つまみである作動装置９は、取り巻き構造として設計された作動機構１０に堅く接続する（図４、図５）。チャネル６は、前記構造を通して広がる。前記構造の一方の側面１１上に位置する。クランプ要素７が、この側面１１の反対側であるチャネル６の側面１２に位置する。作動装置が開放される際にクランプに必要な力を加えるため、バネ８が、クランプ要素７と前記構造との間に設けられる。
【００１４】
容器１は、製品放出開口部４を用いて製品を小出しするため下向きに保持され、製品保持用リザーバ３からじょうご部１４を通ってチャネル６内に流れる。容器拡張部１３は、長手方向に延びる容器１の末端部に設けられ、それは、片手で使用可能な、容器１を手で保持しやすくするために、他方の製品放出開口部４に設けられる。
【００１５】
本発明について、１つの例示的な実施形態を示す図を参照して、以下で詳細に説明する。次のものが図示される。
【図面の簡単な説明】
【００１６】
【図１】製品を自由に流出させる作動つまみとして設計された作動装置を伴う、容器の斜視図を。
【図２】作動装置が押されずにチャネルをクランプしている、図１の容器の部分切欠側面図。
【図３】作動装置が押され製品放出のためチャネルを開放している、図２の目的の部分切欠側面図。
【図４】図２による状態での容器の作動機構の断面図。
【図５】図３による容器の作動機構の断面図。
【図１】
2008539148.tif 000003
【図２】
2008539148.tif 000004
【図３】
2008539148.tif 000005
【図４】
2008539148.tif 000006
【図５】
2008539148.tif 000007
【国際調査報告】
2008539148.tif 000008
2008539148.tif 000009